(57)【要約】【課題】両面テープの割裂を防いでレバー等の部材をしっかりとした取付け状態にすることができ、しかも、それを簡素な構造により実現することができる、両面テープによる部材の取付け構造及び断熱材保持構造を提供する。【解決手段】例えば、断熱材保持用のレバー１が、その基端部に、下地２の取付け面２ａに沿うベース部１ａを備え、該ベース部１ａと下地２の取付け面２ａとが両面テープ５で接合されて、下地２に片持ち状態に取り付けられており、該両面テープ５は、前記下地２の取付け面２ａとレバー１のベース部１ａとの間から上方に突出し、該突出部分５ａがベース部１ａ側に曲げられてレバー１側に貼り付けられている。【選択図】      図１
2008214951.tif 000002
【特許請求の範囲】
【請求項１】
取付け面に沿うベース部を備えた部材が、前記ベース部と取付け面とを両面テープで接合することにより取付け面に取り付けられた、両面テープによる部材の取付け構造において、
前記両面テープが、取付け面とベース部との間から外方に突出し、該突出部分がベース部側に曲げられて部材側に貼り付けられていることを特徴とする、両面テープによる部材の取付け構造。
【請求項２】
断熱材保持用の複数のレバーが、前後方向に向けられ、左右方向に間隔をおいて、下地に片持ち状態に取り付けられ、該レバーの先端部間におさえ用のバーがわたされ、該バーで断熱材の正面側をおさえて断熱材を保持するようになされた断熱材保持構造であって、
前記各レバーは、その基端部に、下地の取付け面に沿うベース部を備え、該ベース部と下地の取付け面とが両面テープで接合されて、下地に片持ち状態に取り付けられており、
該両面テープは、前記下地の取付け面とレバーのベース部との間から上方に突出し、該突出部分がベース部側に曲げられてレバー側に貼り付けられていることを特徴とする断熱材保持構造。
【発明の詳細な説明】
【技術分野】
【０００１】
本発明は、両面テープによる部材の取付け構造及び断熱材保持構造に関する。
【背景技術】
【０００２】
図３（イ）（ロ）に示すように、例えばＬ型に屈折させたプレートからなる部材５１を、幅方向が上下方向となるように向け、短尺な一辺５１ａをベース部にして、このベース部５１ａを取付け面５２に両面テープ５３で取り付けた構造において、図３（ロ）に示すように、部材５１の先端部に荷重Ｗがかかるような場合、荷重Ｗが大きく、部材５１の長辺側５１ｂが長いと、テコの原理により、図３（ハ）に矢印で示すように、部材５１のベース部５１ａの上部に、取付け面５２から離れる方向の大きな力が作用し、この力によって、図３（ハ）（ニ）に示すように、両面テープ５３に割裂５４を生じ、部材５１が取付け面５２からとれてしまうことがある。
【特許文献１】特開平１０−０８２１１３号公報
【発明の開示】
【発明が解決しようとする課題】
【０００３】
本発明は、上記のような問題点に鑑み、両面テープの割裂を防いで部材をしっかりとした取付け状態にすることができ、しかも、それを簡素な構造により実現することができる、両面テープによる部材の取付け構造及び断熱材保持構造を提供することを課題とする。
【課題を解決するための手段】
【０００４】
上記の課題において、調査と研究を行った結果、割裂が両面テープの端面部の厚さ方向中間部において発生を開始しやすいという事実を突き止め、本発明を完成させた。
【０００５】
即ち、上記の課題は、取付け面に沿うベース部を備えた部材が、前記ベース部と取付け面とを両面テープで接合することにより取付け面に取り付けられた、両面テープによる部材の取付け構造において、
前記両面テープが、取付け面とベース部との間から外方に突出し、該突出部分がベース部側に曲げられて部材側に貼り付けられていることを特徴とする、両面テープによる部材の取付け構造によって解決される（第１発明）。
【０００６】
この構造では、ベース部に、取付け面から離間させようとする力が働いても、両面テープは取付け面とベース部との間から外方に突出し、該突出部分がベース部側に曲げられて部材側に貼り付けられているので、両面テープの端面部において割裂方向の力が働くということがなく、そのため、両面テープの割裂を防いで部材をしっかりとした取付け状態に保持することができる。
【０００７】
特に、両面テープの突出部分はベース部側に曲げられて部材側に貼り付けられているので、ベース部に、取付け面から離間させようとする力が働くと、両面テープの突出部分には引張り力が働き、この引張りに両面テープは強く耐えることができるので、部材をしっかりとした取付け状態に保持することができる。
【０００８】
しかも、両面テープを取付け面とベース部との間から外方に突出させ、該突出部分をベース部側に曲げて部材側に貼り付けただけの構造であるから、両面テープだけの簡素な構造により、部材をしっかりとした取付け状態にすることができる。
【０００９】
また、上記の課題は、断熱材保持用の複数のレバーが、前後方向に向けられ、左右方向に間隔をおいて、下地に片持ち状態に取り付けられ、該レバーの先端部間におさえ用のバーがわたされ、該バーで断熱材の正面側をおさえて断熱材を保持するようになされた断熱材保持構造であって、
前記各レバーは、その基端部に、下地の取付け面に沿うベース部を備え、該ベース部と下地の取付け面とが両面テープで接合されて、下地に片持ち状態に取り付けられており、
該両面テープは、前記下地の取付け面とレバーのベース部との間から上方に突出し、該突出部分がベース部側に曲げられてレバー側に貼り付けられていることを特徴とする断熱材保持構造によって解決される（第２発明）。
【００１０】
即ち、この構造は、部材が、断熱材保持用のレバーからなっている場合であるが、両面テープは、前記下地の取付け面とレバーのベース部との間から上方に突出し、該突出部分がベース部側に曲げられてレバー側に貼り付けられているので、両面テープの端面部において割裂方向の力が働くということがなく、特に、ベース部に、取付け面から離間させようとする力が働くと、両面テープの突出部分には引張り力が働き、この引張りに両面テープは強く耐えることができて、レバーをしっかりとした取付け状態にすることができ、ひいては、断熱材の保持状態をしっかりとしたものにすることができる。しかも、それを、上方に突出させた両面テープを曲げてレバー側に貼り付けただけの簡素な構造により実現することができる。
【００１１】
加えて、断熱材を、複数のレバーと、レバーの先端部間にわたされたおさえ用のバーとで保持する構造であるから、おさえ用のバーによって断熱材を安定良く保持することができ、しかも、下地へのレバーの取付けも両面テープだけで行うことができ、また、下地へのレバーの取付け時におさえ用のバーが邪魔になることもなく、施工を容易に行っていくことができる。
【発明の効果】
【００１２】
本発明は、以上のとおりのものであるから、両面テープの割裂を防いで断熱材保持用のレバー等の部材を取付け面に対してしっかりとした取付け状態にすることができ、しかも、それを簡素な構造により実現することができる。
【発明を実施するための最良の形態】
【００１３】
次に、本発明の実施最良形態を図面に基づいて説明する。
【００１４】
図１及び図２に示す実施形態は、断熱材保持構造に適用したもので、図２に示すように、部材としての、断熱材保持用の複数のレバー１，１が、前後方向に向けられ、左右方向に間隔をおいて、下地２に片持ち状態に取り付けられ、該レバー１，１の先端部間におさえ用のバー３がわたされ、該バー３で断熱材４の正面側をおさえて断熱材４を保持するようになされている。
【００１５】
各レバー１は、Ｌ型に屈折させたプレートからなり、幅方向が上下方向となるように向けられ、短尺な一辺１ａをベース部として、このベース部１ａが下地２の取付け面２ａに両面テープ５で取り付けられている。
【００１６】
そして、この両面テープ５は、下地２の取付け面２ａとレバー１のベース部１ａとの間から上方に突出し、該突出部分５ａがベース部１ａ側に曲げられ折り返されてベース部１ａの背面部に貼り付けられている。
【００１７】
上記の構造では、図１（イ）（ロ）に示すように、レバー１の先端部に、バー３による荷重Ｗが作用すると、図１（ハ）に示すように、矢印で示すように、レバー１のベース部１ａの上部に、下地２の取付け面２ａから離れる方向の力が作用するが、両面テープ５は、下地２の取付け面２ａとレバー１のベース部１ａとの間から上方に突出し、該突出部分５ａがベース部１ａ側に曲げられ折り返されてベース部１ａの背面部に貼り付けられているので、両面テープ５の端面部において割裂方向の力が働くということがなく、また、レバー１のベース部１ａに、取付け面２ａから離間させようとする力が働くと、両面テープ５の突出部分５ａには、図１（ニ）に矢印で示すように、引張り力が働き、この引張りに両面テープ５は強く耐えることができて、レバー１をしっかりとした取付け状態にすることができ、ひいては、断熱材４の保持状態をしっかりとしたものにすることができる。しかも、それを、上方に突出させた両面テープ５を曲げてレバー１側に貼り付けただけの簡素な構造により実現することができる。
【００１８】
そして、断熱材４を、複数のレバー１，１と、レバー１，１の先端部間にわたしたおさえ用のバー３とで保持する構造であるから、おさえ用のバー３によって断熱材４を安定良く保持することができ、しかも、下地２へのレバー１の取付けも両面テープ５だけで行うことができ、また、レバー１とバー３とが分割構造になっていて、下地２へのレバー１の取付け時におさえ用のバー３が邪魔になることもなく、施工を容易に行っていくことができる。
【００１９】
以上に、本発明の実施形態を示したが、本発明はこれに限られるものではなく、発明思想を逸脱しない範囲で各種の変更が可能である。例えば、上記の実施形態では、断熱材保持用のレバー１のベース部１ａと下地２の取付け面とを両面テープ５で接合する場合を示したが、第１発明では、各種部材のベース部を各種取付け面に両面テープで取り付ける場合に広く用いることができるものであり、取付け面は、側方向きに限らず、下向きであっても、上向きであってもよい。また、両面テープの突出部分は、部材のベース部に全周にわたって備えられていてもよいし、部材に作用する力との関係で、両面テープに割裂を生じやすい部分においてのみ備えられていてもよい。
【図面の簡単な説明】
【００２０】
【図１】実施形態の取付け構造を示すもので、図（イ）は断面平面図、図（ロ）は断面側面図、図（ハ）は取付け部分の拡大断面側面図、図（ニ）は力の作用状態を示す要部拡大断面側面図である。
【図２】実施形態の断熱材保持構造を示すもので、図（イ）は断面側面図、図（ロ）は断面平面図である。
【図３】先行技術にかかる取付け構造を示すもので、図（イ）は断面平面図、図（ロ）は断面側面図、図（ハ）及び図（ニ）は取付け部分における力の作用状態を示す拡大断面側面図である。
【符号の説明】
【００２１】
１…レバー（部材）
１ａ…ベース部
２…下地
２ａ…取付け面
３…おさえ用のバー
４…断熱材
５…両面テープ
５ａ…突出部分
【図１】
2008214951.tif 000003
【図２】
2008214951.tif 000004
【図３】
2008214951.tif 000005